(57)【要約】【課題】着用時の見た目に違和感を与えることがなく、顔全体の表情を隠すことなく見せることができ、また、着用時に遮蔽シートと口や鼻との間隔が狭くならず、遮蔽シートが口や鼻に触れるおそれがなく、着用者の呼吸により遮蔽シートの曇りが発生しにくいマスクを提供すること。【解決手段】少なくとも口の前面部分をカバーする透明部材１１と、透明部材１１を支持する支持部材１２と、支持部材１２に取り付けられる、着用者への装着用のゴムバンド１３と、支持部材１２の内側面から突設されたスペーサ部１４ａ、及びスペーサ部１４ａの先端部分から上向きに延設された顎受け部１４ｂを有する顎受け部材１４とを装備する。【選択図】図１
0003182684.tif 000002
【実用新案登録請求の範囲】
【請求項１】
少なくとも口の前面部分をカバーする透明部材と、
該透明部材を支持する支持部材と、
該支持部材に取り付けられる、着用者への装着用部材と、
前記支持部材の内側面から突設されたスペーサ部、及び該スペーサ部の先端部分から上向きに延設された顎受け部を有する顎受け部材とを備えていることを特徴とするマスク。
【請求項２】
少なくとも口の前面部分をカバーする透明部材と、
該透明部材を支持する支持部材と、
該支持部材に取り付けられる、着用者への装着用部材と、
前記支持部材の内側面から突設されたスペーサ部、及び該スペーサ部に連結された顎受け部を有する顎受け部材とを備え、
該顎受け部材の前記顎受け部が、側面視湾曲形成され、前記スペーサ部が、前記顎受け部の中間曲げ部分に連結されていることを特徴とするマスク。
【請求項３】
前記顎受け部が、管状部材又は棒状部材を屈曲させて形成されたもので構成されていることを特徴とする請求項１又は請求項２記載のマスク。
【請求項４】
前記顎受け部の顎当接面にクッション部材が配設されていることを特徴とする請求項１〜３のいずれかの項に記載のマスク。
【請求項５】
前記透明部材が、鼻の前面部分をカバーするように、中央部が突出する山型に形成されていることを特徴とする請求項１〜４のいずれかの項に記載のマスク。
【請求項６】
前記支持部材の上縁部に、前記透明部材の下端部を嵌め込むための嵌合溝が形成され、
前記透明部材が、前記支持部材の嵌合溝に着脱可能に構成されていることを特徴とする請求項１〜５のいずれかの項に記載のマスク。
【請求項７】
前記透明部材と前記支持部材とが一体形成されていることを特徴とする請求項１〜５のいずれかの項に記載のマスク。
【請求項８】
前記支持部材の両端部にゴム留め部が形成され、
前記装着用部材が、前記支持部材の前記ゴム留め部に取り付けられたゴムバンドで構成されていることを特徴とする請求項１〜７のいずれかの項に記載のマスク。
【請求項９】
前記装着用部材が、前記支持部材の両端部に取り付けられた耳掛け用のつる部材で構成されていることを特徴とする請求項１〜７のいずれかの項に記載のマスク。
【請求項１０】
前記つる部材が、前記支持部材の両端部に丁番を介して折り畳み可能に構成されていることを特徴とする請求項９記載のマスク。
【請求項１１】
前記顎当て部材のスペーサ部が、前記支持部材に対して取り付け角度が調整可能に取り付けられていることを特徴とする請求項１〜１０のいずれかの項に記載のマスク。
【考案の詳細な説明】
【技術分野】
【０００１】
本考案はマスクに関し、より詳細には、着用者の口元の表情が見え、かつ会話やくしゃみ、咳などによる唾液等の飛散を防止することのできるマスクに関する。
【背景技術】
【０００２】
従来からある一般的なマスクは、ガーゼや不織布等からなるマスク本体と、該マスク本体の両側に取り付けられたゴム紐とで構成されており、前記マスク本体で着用者の口及び鼻部分を直接覆うようにして使用されるものである。
【０００３】
このような一般的なマスクは、着用者の口及び鼻部分を直接覆うため、呼吸がしにくい、話す際に声がこもりやすい、また、着用者の表情が見えないといった課題を有していた。
【０００４】
そこで近年、かかる課題を解決するためのマスクが提案されている（下記の特許文献１〜３を参照）。図９は、下記の特許文献１に記載されたマスクの背面側斜視図であり、図１０は、そのマスクの着用状態を示した側面図である。
【０００５】
マスク５０は、略Ｕ字形状をしたフレーム５１、フレーム５１の上縁に嵌着された遮蔽シート５２、及びフレーム５１の両端に掛合された２本のつる部５３で構成されている。フレーム５１の中央部分には、顔に向けて突出させた当て部５４が形成され、当て部５４の下縁より下向きにアゴ当てシート５５が延設されている。
【０００６】
図１０に示すように、マスク５０を着用する際には、着用者は、当て部５４を下唇の下の顎部分に当て、アゴ当てシート５５を下顎に当て、つる部５３の耳掛部５３ａを耳に掛ける。このようにしてマスク５０を着用することにより、着用者の口及び鼻の前が遮蔽シート５２で覆われるようになっている。
【０００７】
マスク５０によれば、遮蔽シート５２が着用者の口の前を遮ることにより、着用者の飛沫の噴出が遮断されるとともに、呼吸がスムーズにでき、声がこもらず、表情も見えるようになっている。なお、特許文献２にも、このマスク５０と同様の構成のものが開示されている。
【０００８】
しかしながら、上記したマスク５０では、アゴ当てシート５５がフレーム５１の当て部５４から下向きに延設されているため、着用時に、フレーム５１が着用者の顎の上部分（唇の下部分）に位置する。そのため、着用者を正面から見たときに、着用者の顔の下部がフレーム５１で隠れてしまい、見た目に違和感を与えやすく、また、当て部５４が唇のすぐ下に当接しているため、口が動かしにくく、話がしにくいという課題もあった。
【０００９】
また、着用時に、遮蔽シート５２と口や鼻との間隔が狭くなりやすく、遮蔽シート５２が口や鼻に触れる場合があり、着用者の呼吸により遮蔽シート５２が曇りやすいといった課題があった。
【先行技術文献】
【特許文献】
【００１０】
【特許文献１】実用新案登録第３１５９６６８号公報
【特許文献２】実用新案登録第３１６４１１８号公報
【考案の概要】
【課題を解決するための手段及びその効果】
【００１１】
本考案は上記課題に鑑みなされたものであって、着用時の見た目に違和感を与えることがなく、顔全体の表情を隠すことなく見せることができ、着用時でも口が動かしやすく、また、着用時に遮蔽シートと口や鼻との間隔が狭くならず、遮蔽シートが口や鼻に触れるおそれがなく、着用者の呼吸により遮蔽シートの曇りが発生しにくいマスクを提供することを目的としている。
【００１２】
上記目的を達成するために本考案に係るマスク（１）は、少なくとも口の前面部分をカバーする透明部材と、該透明部材を支持する支持部材と、該支持部材に取り付けられる、着用者への装着用部材と、前記支持部材の内側面から突設されたスペーサ部、及び該スペーサ部の先端部分から上向きに延設された顎受け部を有する顎受け部材とを備えていることを特徴としている。
【００１３】
上記マスク（１）によれば、前記支持部材の内側面から突設された前記スペーサ部の先端部分から上向きに延設された前記顎受け部を有する顎受け部材を備えているので、該顎受け部材の顎受け部を着用者の下顎に当てて着用したときに、前記支持部材が、着用者の下顎よりも下に位置することとなる。したがって、着用者を正面から見たときに、着用者の顔の下部（下顎部分）が前記支持部材で隠れてしまうことがなく、見た目に違和感を与えることなく、着用者の顔全体の表情を隠すことなく見せることができる。また、前記顎受け部の顎への当てる位置が多少ずれた場合であっても、前記透明部材と、口や鼻との間隔を確実に保つことができ、また、着用者の呼吸による前記透明部材の曇りも発生しにくいものとすることができる。また、着用時に、唇の下部分に圧迫感がなく、口が動かしやすく、話がしやすいものとすることができる。
【００１４】
また本考案に係るマスク（２）は、少なくとも口の前面部分をカバーする透明部材と、該透明部材を支持する支持部材と、該支持部材に取り付けられる、着用者への装着用部材と、前記支持部材の内側面から突設されたスペーサ部、及び該スペーサ部に連結された顎受け部を有する顎受け部材とを備え、該顎受け部材の前記顎受け部が、側面視湾曲形成され、前記スペーサ部が、前記顎受け部の中間曲げ部分に連結されていることを特徴としている。
【００１５】
上記マスク（２）によれば、前記顎受け部材の前記顎受け部が、側面視湾曲形成され、前記スペーサ部が、前記顎受け部の中間曲げ部分に連結されているので、該顎受け部を着用者の下顎の先端部に密着させた状態で着用でき、該着用状態において前記支持部材が、着用者の下顎よりも下に位置することとなる。したがって、上記したマスク（１）と同様に、着用者を正面から見たときに、着用者の顔の下部（下顎部分）が前記支持部材で隠れてしまうことがなく、見た目に違和感を与えることなく、着用者の顔全体の表情を隠すことなく見せることができる。また、前記顎受け部の顎への当てる位置が多少ずれた場合であっても、前記透明部材と、口や鼻との間隔を確実に保つことができ、また、着用者の呼吸による前記透明部材の曇りも発生しにくいものとすることができる。また、着用時に、唇の下部分に圧迫感がなく、口が動かしやすく、話がしやすいものとすることができる。
【００１６】
また本考案に係るマスク（３）は、上記マスク（１）又は（２）において、前記顎受け部が、管状部材又は棒状部材を屈曲させて形成されたもので構成されていることを特徴としている。
上記マスク（３）によれば、前記顎受け部が、管状部材又は棒状部材、例えば、直径数ｍｍ程度の細管状（パイプ状）の部材や丸棒などの細棒状の部材等を屈曲させて形成されたもので構成されているので、着用時に、前記顎受け部と下顎との接触面積をより少なくすることができ、化粧の崩れなどがより気になりにくいものとすることができる。また、前記顎受け部の位置ずれ防止効果を高めることもできる。
【００１７】
また本考案に係るマスク（４）は、上記マスク（１）〜（３）のいずれかにおいて、前記顎受け部の顎当接面にクッション部材が配設されていることを特徴としている。
上記マスク（４）によれば、前記顎受け部の顎当接面にクッション部材が配設されているので、長時間着用に伴う接触部分の痛み等の発生を防止することができ、また、滑り止め効果を得ることができ、安定した装着感を得ることができる。また、前記クッション部材の厚みを変えることにより、前記顎受け部の顎当接面の高さを調整することができ、良好な装着感を得ることができる。
【００１８】
また本考案に係るマスク（５）は、上記マスク（１）〜（４）のいずれかにおいて、前記透明部材が、鼻の前面部分をカバーするように、中央部が突出する山型に形成されていることを特徴としている。
上記マスク（５）によれば、前記透明部材の中央部が突出する山型に形成されているので、着用者の鼻の前面部分を確実にカバーすることができる。くしゃみ、咳などによる唾液や鼻汁等の飛散を確実に防止することができる。
【００１９】
また本考案に係るマスク（６）は、上記マスク（１）〜（５）のいずれかにおいて、前記支持部材の上縁部に、前記透明部材の下端部を嵌め込むための嵌合溝が形成され、前記透明部材が、前記支持部材の嵌合溝に着脱可能に構成されていることを特徴としている。
上記マスク（６）によれば、前記透明部材が、前記支持部材の嵌合溝に着脱可能に構成されているので、前記透明部材だけ取り換えて、前記支持部材を繰り返し使用することができ、経済性に優れたものとすることができる。
【００２０】
また本考案に係るマスク（７）は、上記マスク（１）〜（５）のいずれかにおいて、前記透明部材と前記支持部材とが一体形成されていることを特徴としている。
上記マスク（７）によれば、前記透明部材と前記支持部材とが一体的に形成されているので、構造をシンプルなものとすることができ、１個当たりの製作コストを抑えることができる。
【００２１】
また本考案に係るマスク（８）は、上記マスク（１）〜（７）のいずれかにおいて、前記支持部材の両端部にゴム留め部が形成され、前記装着用部材が、前記支持部材の前記ゴム留め部に取り付けられたゴムバンドで構成されていることを特徴としている。
上記マスク（８）によれば、前記支持部材の両端部にゴム留め部が形成され、該ゴム留め部に前記装着用部材としての前記ゴムバンドが取り付けられるので、低コストで、かつゴムの弾性力により、フィット感に優れたものとすることができる。前記ゴムバンドには、左右の耳に掛ける形態のものの他、前記両端部のゴム留め部に１本のゴムバンドを架け渡した状態に取り付けて、後頭部に掛ける形態のものなどが適用され得る。
【００２２】
また本考案に係るマスク（９）は、上記マスク（１）〜（７）のいずれかにおいて、前記装着用部材が、前記支持部材の両端部に取り付けられた耳掛け用のつる部材で構成されていることを特徴としている。
上記マスク（９）によれば、前記装着用部材が、前記支持部材の両端部に取り付けられた耳掛け用のつる部材で構成されているので、該つる部材先端の耳掛け部を耳に掛けることで、着用時の安定性が優れたものとすることができる。また、前記耳掛け部を、変形自在な材料等で構成することにより、耳へ掛ける位置の微調整を行うことが容易となる。
【００２３】
また本考案に係るマスク（１０）は、上記マスク（９）において、前記つる部材が、前記支持部材の両端部に丁番を介して折り畳み可能に構成されていることを特徴としている。
上記マスク（１０）によれば、前記つる部材が、前記支持部材の両端部に丁番を介して折り畳み可能に構成されているので、使用後において、嵩張ることなく収納等を行うことができる。
【００２４】
また本考案に係るマスク（１１）は、上記マスク（１）〜（１０）のいずれかにおいて、前記顎当て部材のスペーサ部が、前記支持部材に対して取り付け角度が調整可能に取り付けられていることを特徴としている。
上記マスク（１１）によれば、前記スペーサ部が、前記支持部材に対して取り付け角度が調整可能に取り付けられているので、前記スペーサ部の前記支持部材に対する取り付け角度を調整することで、前記透明部材と、口や鼻との間隔を容易に調整することができ、着用者の顎や鼻の形状の違いに応じた調整の自由度を高めることができる。
【図面の簡単な説明】
【００２５】
【図１】本考案の実施の形態（１）に係るマスクを示した背面斜視図である。
【図２】実施の形態（１）に係るマスクを示した図であり、（ａ）は背面図、（ｂ）は（ａ）におけるｂ−ｂ線断面図である。
【図３】実施の形態（１）に係るマスクの着用状態を示した側面図である。
【図４】実施の形態（２）に係るマスクを示した背面斜視図である。
【図５】実施の形態（２）に係るマスクを示した図であり、（ａ）は背面図、（ｂ）は（ａ）におけるｂ−ｂ線断面図である。
【図６】実施の形態（２）に係るマスクの着用状態を示した側面図である。
【図７】別の実施の形態に係るマスクの着用状態を示した側面図である。
【図８】さらに別の実施の形態に係るマスクを示した図であり、（ａ）は背面図、（ｂ）は（ａ）におけるｂ−ｂ線断面図である。
【図９】従来（特許文献１記載）のマスクを示した背面側斜視図である。
【図１０】従来のマスクの着用状態を示した側面図である。
【考案を実施するための形態】
【００２６】
以下、本考案に係るマスクの実施の形態を図面に基づいて説明する。図１は、実施の形態（１）に係るマスクを示した背面斜視図であり、図２（ａ）は背面図、図２（ｂ）は（ａ）におけるｂ−ｂ線断面図である。また、図３は、実施の形態（１）に係るマスクの着用状態を示した側面図である。
【００２７】
マスク１０は、人の顔に着用されるものであり、口及び鼻の前面部分をカバーする面積を有する透明部材１１と、透明部材１１を支持する支持部材１２と、支持部材１２に取り付けられる、着用者への装着用のゴムバンド１３（装着用部材）と、顎受け部材１４とを含んで構成されている。なお、図２では、ゴムバンド１３の記載を省略している。
【００２８】
透明部材１１は、樹脂で形成された透明薄板１１ａと、透明薄板１１ａの下端に固着された湾曲帯板状の形状保持板１１ｂとを含んで構成されている。透明薄板１１ａは、その中央部がなだらかに突出する山型に形成されている。また、形状保持板１１ｂは、透明薄板１１ａを湾曲状に保つ機能を有し、後述する支持部材１２の嵌合溝１２ａに嵌合可能な厚みに形成されている。
【００２９】
支持部材１２は、人体の顔下部（下顎部分）のカーブに沿うように略円弧状に形成されたフレーム（細枠材）であり、プラスチック等の樹脂材料から形成されている。支持部材１２の上縁部には、透明部材１１の下端部（形状保持板１１ｂ部分）が嵌め込まれる嵌合溝１２ａが形成されている。支持部材１２は、着色されたものに限らず、透明又は半透明となるように形成することもできる。また、支持部材１２の断面を、正面側に凸となるかまぼこ型形状や半円形状とすることで、着用者を正面から見たときに、支持部材１２が丸みを帯びて見えるため、審美性を高めることができる。
【００３０】
また、支持部材１２の中央内側部分には、支持部材１２の内側面から所定の幅を設けて突設された、細い角棒状の左右２本のスペーサ部１４ａと、これらスペーサ部１４ａの先端部分から上向きに延設された顎受け部１４ｂとを有する顎受け部材１４が取り付けられている。なお、スペーサ部１４ａを細い丸棒状の部材で構成することもできる。
【００３１】
スペーサ部１４ａは、支持部材１２と顎受け部１４ｂとの距離を一定に保つための長さを有しており、これにより、着用時に透明部材１１と着用者の口や鼻との距離が、一定の間隔で保たれるようになっている。また、顎受け部１４ｂは、パイプ状部材、例えば、細い（直径数ｍｍ程度の）丸棒状や円管状（中空状）の部材を、背面視略ロの字状かつ側面視略くの字状に湾曲形成されたものであり、下顎の先端部の曲面にフィットする形状となっている。細いパイプ状部材を用いることにより、着用時に下顎との接触面積をより少なくすることができ、化粧の崩れなどがより気になりにくいものとすることが可能である。なお、顎受け部１４ｂは上記パイプ状部材で形成されたものに限定されるものではなく、薄板部材を背面視略ロの字状かつ側面視湾曲形成されたもの等が採用され得る。また、顎受け部１４ｂの形状は、背面視略ロの字状かつ側面視略くの字状のものに限定されるものではなく、背面視略日の字形状としたり、側面視略円弧状にすることも可能であり、下顎の先端部の曲面にフィットする湾曲した形状のものが採用され得る。
【００３２】
また、支持部材１２に対する顎受け部材１４の取り付け形態は、特に限定されるものではなく、例えば、スペーサ部１４ａの先端部を支持部材１２の内側面に接着や貼着などにより固着する形態、スペーサ部１４ａの先端部に爪部（図示せず）を形成し、該爪部を、支持部材１２の内側面に形成された爪受け部（図示せず）に嵌め込み固定する形態（なお、着脱可能な形態とすることも可能）、又は支持部材１２と一体に形成する形態などが採用され得る。なお、顎受け部材１４は、透明又は半透明なプラスチック等の樹脂材料の他、木材、又はアルミやステンレス等の金属などで形成することが可能である。
【００３３】
また、装着用部材としてのゴムバンド１３は、着用者の左右の耳に掛けるリング状に形成され得るもので構成されており、支持部材１２の両端部に形成されたゴム留め部である挿通孔１２ｂに挿着されている。挿通孔１２ｂは、支持部材１２の外側面に、平面視略Ｃの字形状に延設され、その先端部と支持部材１２の外側面とにわずかな隙間が形成され、該隙間からゴムバンド１３を簡単に着脱することができるようになっている。また、ゴムバンド１３に長さを調整するための部品を設けることも可能である。なお、挿通孔１２を支持部材１２の内側面に形成してもよい。
【００３４】
上記実施の形態（１）に係るマスク１０によれば、支持部材１２の内側面から突設されたスペーサ部１４ａの先端部分から上向きに延設された顎受け部１４ｂを有する顎受け部材１４を備えているので、図３に示すように、顎受け部材１４の顎受け部１４ｂを着用者の下顎に当てて着用したときに、支持部材１２が、着用者の下顎よりも下に位置することとなる。したがって、着用者を正面から見たときに、着用者の顔の下部（下顎部分）が支持部材１２で隠れてしまうことがなく、見た目に違和感を与えることなく、着用者の顔全体の表情を隠すことなく見せることができ、また、口を動かしやすいものとすることができる。
【００３５】
また、顎受け部１４ｂの下顎への当てる位置が多少ずれた場合であっても、透明部材１１と、口や鼻との間隔を確実に保つことができ、また、着用者の呼吸による透明部材１１の曇りも発生しにくいものとすることができる。
また、顎受け部１４ｂが、パイプ状部材で構成されているので、着用時に、顎受け部１４ｂと下顎との接触面積をより少なくすることができ、化粧の崩れなどがより気になりにくいものとすることができ、また、顎受け部１４ｂの位置ずれ防止効果を高めることができる。
【００３６】
また、マスク１０によれば、透明薄板１１ａの中央部が突出する山型に形成されているので、着用者の鼻の前面部分を確実にカバーすることができる。透明部材１１により、会話やくしゃみ、咳などによる唾液や鼻汁等の飛散を防止することができる。
また、マスク１０によれば、透明部材１１が、支持部材１２の嵌合溝１２ａに着脱可能に構成されているので、透明部材１１だけ取り換えて、支持部材１２を繰り返し使用することができ、経済性に優れたものとすることができる。
【００３７】
また、マスク１０によれば、装着用部材が、支持部材１２の両端部に取り付けられたゴムバンド１３で構成されているので、低コストで、かつゴムの弾性力により、着用時のフィット感に優れたものとすることができる。なお、ゴムバンド１３には、上記した左右の耳に掛ける形態のものの他、支持部材１２の両端部に形成された挿通孔１２ｂに、１本のゴムバンドを架け渡した形態として、着用者の後頭部に掛けて固定する形態とすることもできる。
【００３８】
次に実施の形態（２）に係るマスクについて説明する。図４は、実施の形態（２）に係るマスクを示した背面斜視図であり、図５（ａ）は背面図、図５（ｂ）は（ａ）におけるｂ−ｂ線断面図である。また、図６は、実施の形態（２）に係るマスクの着用状態を示した側面図である。
実施の形態（２）に係るマスク１０Ａと、実施の形態（１）に係るマスク１０とは、顎受け部材の構成が相違しており、実施の形態（１）に係るマスク１０と同一機能を有する構成部品には、同一符号を付し、ここではその説明を省略する。
【００３９】
実施の形態（２）に係るマスク１０Ａの顎受け部材１４Ａは、支持部材１２の内側面から突設された２本のスペーサ部１４ｃの先端部分から上下方向に、顎受け部１４ｄが延設された構成、すなわち、顎受け部１４ｄが、パイプ状部材を用いて背面視略ロの字状かつ側面視湾曲形成され、スペーサ部１４ｂが、顎受け部１４ｄの略くの字状の折曲部分（中間曲げ部分）に連結された構成となっている。
【００４０】
また、装着用部材としてのゴムバンド１３が、支持部材１２の両端部に形成された挿通孔１２ｃに挿着されている。挿通孔１２ｃは、支持部材１２の両端部を、平面視略Ｃの字形状に外向きに折り返して形成され、その折返し先端部と支持部材１２とにわずかな隙間が形成され、該隙間からゴムバンド１３を簡単に着脱することができるようになっている。なお、挿通孔１２ｃは、支持部材１２の両端部を、内向きに折り返して形成することも可能である。
また、ゴムバンド１３の先端側には、長さ調整用の小径のリング部材１３ａが挿着されており、リング部材１３ａの取付け位置をずらすことにより、ゴムバンド１３のリングサイズを適宜調整することが可能となっている。
【００４１】
上記実施の形態（２）に係るマスク１０Ａによれば、顎受け部材１４Ａの顎受け部１４ｄが、パイプ状部材を用いて側面視湾曲形成され、スペーサ部１４ｃが、顎受け部１４ｄの中間曲げ部分に連結されているので、上記したマスク１０と同様の効果、すなわち、図６に示すように、顎受け部材１４Ａの顎受け部１４ｄを着用者の顎に当てて着用したときに、支持部材１２を、着用者の下顎のラインに沿って位置させることができる。したがって、着用者を正面から見たときに、着用者の顔の下部（下顎部分）が支持部材１２で隠れてしまうことがなく、見た目に違和感を与えることなく、着用者の顔全体の表情を隠すことなく見せることができ、また、口を動かしやすいものとすることができる。
【００４２】
なお、上記実施の形態では、装着用部材としてゴムバンド１３が採用されている場合について説明したが、装着用部材はゴムバンド１３に限定されるものではない。図７に示すように、別の実施の形態に係るマスク１０Ｂでは、装着用部材を、先端部に耳掛け部１３ｂを有するつる部材１３Ａで構成し、支持部材１２の両端部に丁番１５を介して、つる部材１３Ａを折り畳み可能に連結されたものとすることができる。かかる構成とすることにより、着用時の安定性が優れたものとすることができる。また、耳掛け部１３ｂを、変形自在な材料等で構成することにより、耳へ掛ける位置の微調整を行うことが容易となる。また、つる部材１３Ａの支持部材１２への取り付け形態は、上記のように丁番１５を介した連結構造とするものの他、丁番１５を設けずに固定した形態、支持部材１２の両端部にスライド可能に連結した形態、又は支持部材１２とつる部材１３Ａとを一体形成した形態などが採用され得る。なお、実施の形態（１）に係るマスク１０の装着用部材であるゴムバンド１３の代わりに、つる部材１３Ａを採用することもできる。
【００４３】
また、実施の形態（１）、（２）に係るマスク１０、１０Ａでは、顎受け部材１４、１４Ａのスペーサ部１４ａ、１４ｃが、左右２本の棒状部材で形成されたものであったが、スペーサ部の形態は、これに限定されるものではなく、例えば、１本の棒状部材や、一枚の平板部材など、支持部材１２と顎受け部１４ｂ、１４ｄとを所定の間隔で保つことができる形態や構造のものが採用され得る。
【００４４】
また、マスク１０、１０Ａでは、顎受け部材１４、１４Ａの顎受け部１４ｂ、１４ｄが、背面視略ロの字状に形成されていたが、顎受け部の形態は、これに限定されるものではなく、例えば、背面視略日の字状のものや、開口部分のない湾曲平板状のものなど、下顎の先端部に、フィット（密着）する形態や構造のものが採用され得る。
例えば、図８に示すように、別の実施の形態に係るマスク１０Ｃでは、顎受け部材１４Ｂとして、スペーサ部１４ｅが、一枚の平板部材で構成され、顎受け部１４ｆが、一枚の平板部材を側面視略くの字形状に湾曲した部材で構成され、これらが一体形成されたものとなっている。
【００４５】
また、上記したスペーサ部１４ａ、１４ｃ、１４ｅは、支持部材１２の内側面から水平方向に延設されているが、水平方向だけではなく、着用時における支持部材１２の位置が、正面から見たときに下顎のラインと同じか又はやや下に位置するように、水平方向よりもやや上向き又は下向きに角度を変えて取り付ける構成を採用することもできる。
【００４６】
また、さらに別の実施の形態では、上記した実施の形態のマスク１０、１０Ａ、１０Ｂ、１０Ｃの顎受け部１４ｂ、１４ｄ、１４ｆの顎当接面にクッション部材（図示せず）が配設（例えば接着、貼着、又は巻着等）された構成とすることもできる。
【００４７】
前記クッション部材には、スポンジ、ウレタン、フェルトなどの弾性があり、かつ肌触りのよいものが採用され、また、取換え可能な構成が採用され得る。前記クッション部材の形状は、顎受け部１４ｂ、１４ｄの形状（ロの字形状など）に形成されたものや、顎受け部１４ｂ、１４ｄ、１４ｆの全面を覆うシート状のものなどが採用され得る。また、前記クッション部材には、厚みが異なるものを数種類用意して、着用者の好みに応じて、厚み調整可能とすることもできる。
【００４８】
また、上記実施の形態に係るマスク１０、１０Ａ、１０Ｂ、１０Ｃでは、スペーサ部１４ａ、１４ｃ、１４ｅは、支持部材１２に固定された形態となっているが、別の実施の形態では、スペーサ部１４ａ、１４ｃ、１４ｅを、支持部材１２に対して取り付け角度が調整可能に取り付ける形態が採用され得る。角度調整を行う機構は、支持部材１２とスペーサ部１４ａ、１４ｃ、１４ｅとの連結部分において、スペーサ部１４ａ、１４ｃ、１４ｅを上下に回動可能かつ回動させた位置で固定（保持）できる構造であればよい。
【００４９】
例えば、マスク１０、１０Ａにおけるスペーサ部１４ａ、１４ｃの支持部材１２側の先端部両側面に、回転中心となる回転凸部（図示せず）と、角度調整用凸部（図示せず）とを形成し、一方、支持部材１２の内側面に、スペーサ部１４ａ、１４ｃの先端部を狭持する狭持部（図示せず）を設け、当該狭持部の内側面に、スペーサ部１４ａ、１４ｃの前記回転凸部が嵌め込まれる回転凹部と、該回転凹部から放射状（所定の角度毎）に形成された複数の角度調整用凹部とを形成する。かかる構成により、スペーサ部１４ａ、１４ｃを上下方向に回動させて、スペーサ部１４ａ、１４ｃの前記角度調整用凸部と、支持部材１２の前記狭持部の角度調整用凹部との嵌め合わせ位置を変えることで、角度調整が可能となる。
【００５０】
係る構成とすることにより、スペーサ部１４ａ、１４ｃの支持部材１２に対する取り付け角度を調整することができ、着用時における透明部材１１と、口や鼻との間隔を容易に調整することができ、着用者の顎や鼻の形状の違いに応じた調整が容易となる。
【００５１】
また、上記実施の形態に係るマスク１０、１０Ａ、１０Ｂ、１０Ｃでは、透明部材１１が、支持部材１２の嵌合溝１２ａに着脱可能に構成されているが、別の実施の形態では、透明部材１１が支持部材１２と一体形成されている形態、すなわち、透明薄板１１ａの下端部を支持部材１２に固着した形態とすることができる。係るマスクによれば、透明部材１１（透明薄板１１ａ）と支持部材１２とが一体的に形成されているので、構造をシンプルなものとすることができ、１個当たりの製作コストを抑えることができる。
【符号の説明】
【００５２】
１０、１０Ａ、１０Ｂ、１０Ｃ  マスク
１１  透明部材
１１ａ  透明薄板
１１ｂ  保持部材
１２  支持部材
１２ａ  嵌合溝
１２ｂ  挿入孔
１３  ゴムバンド
１３Ａ  つる部材
１４、１４Ａ、１４Ｂ  顎受け部材
１４ａ、１４ｃ、１４ｅ  スペーサ部
１４ｂ、１４ｄ、１４ｆ  顎受け部
【図１】
0003182684.tif 000003
【図２】
0003182684.tif 000004
【図３】
0003182684.tif 000005
【図４】
0003182684.tif 000006
【図５】
0003182684.tif 000007
【図６】
0003182684.tif 000008
【図７】
0003182684.tif 000009
【図８】
0003182684.tif 000010
【図９】
0003182684.tif 000011
【図１０】
0003182684.tif 000012